(57)【要約】【課題】  携帯電話でファイルキャスト放送のダウンロードを行う場合は、いつ発生するか分からないダウンロードを常に待ち受けるための待機電力が必要であることやダウンロード期間中はダウンロードが終了するまでバッテリーの電力が必要であることに加えて、受信点での電波環境の不安定さの影響を受けやすい欠点があった。【解決手段】  携帯電話によるファイルキャストの視聴において、ファイルキャスト放送のダウンロード受信機能を携帯電話の充電台に配置することにより、ファイルキャスト放送のダウンロード受信と記録と、視聴する携帯電話と切り離して、常にダウンロードの発生に備える。【選択図】図１
2012235183.tif 000002
【特許請求の範囲】
【請求項１】
コンテンツ、メタデータ、アクセス制御共通情報、アクセス制御個別情報を送出するコンテンツ送出装置と、
欠損補完用データを送出する欠損補完用データ送出装置と、
アクセス制御共通情報、アクセス制御個別情報を送出するライセンス管理装置と、
コンテンツ、メタデータ、アクセス制御共通情報、アクセス制御個別情報を受信する受信装置と、から構成されるデジタル放送送受信システムであって、  リアルタイム放送の場合は、少なくともコンテンツ、メタデータをコンテンツ送出装置から放送波により送出し、
ファイルキャスト放送の場合は、少なくともコンテンツ、メタデータをコンテンツ送出装置から放送波により送出し、アクセス制御共通情報とアクセス制御個別情報は受信装置からの要求に基づいて、ライセンス管理装置からネットワークにより送出し、
受信装置においてファイルキャスト放送を受信したコンテンツに欠損があった場合には、受信装置からの要求にもとづき欠損補完用データを欠損補完用データ送出装置からネットワークにより送出することを特徴とするデジタル放送送受信システム。
【請求項２】
放送経由でコンテンツを受信する放送受信装置と、
前記放送受信装置からコンテンツを取得するとともに、通信経由でアクセス制御共通情報、アクセス制御個別情報を受信し、コンテンツを復号、出力する送受信装置と、
から構成される受信システムであって、
リアルタイム放送の場合は、放送受信装置でコンテンツを受信し、送受信装置は受信したアクセス制御共通情報とアクセス制御個別情報を用いて、受信したコンテンツを復号、出力し、
ファイルキャスト放送の場合は、コンテンツを放送受信装置で受信して記録媒体に記録し、再生されたコンテンツについて送受信装置で、受信したアクセス制御共通情報とアクセス制御個別情報を用いて復号、出力することを特徴とする受信システム。
【発明の詳細な説明】
【技術分野】
【０００１】
本発明は、映像、音声、データなどのデジタル情報を送るデジタル放送の送信技術、受信技術に関する。
【背景技術】
【０００２】
従来は、特許文献１に示されているように、セグメント単位の様々な情報を送信するとき、複数のセグメントを一括処理して送信し、受信機側ではその受信信号の中から任意のセグメントを選択、復調できるようにしていた。
【先行技術文献】
【特許文献】
【０００３】
【特許文献１】特開２０００−２１６７４８号公報
【発明の概要】
【発明が解決しようとする課題】
【０００４】
上記特許文献１では、送信側ではセグメント単位で様々な情報を送信し、受信側ではその中から任意のセグメントを選択、復調する送受信装置が開示されている。
【０００５】
しかしながら、携帯電話などのモバイル機器での受信方法ついては示されていない。モバイル機器でファイルキャスト放送のダウンロードを行う場合は、いつ発生するか分からないダウンロードを常に待ち受けるための待機電力が必要であることやダウンロードが終了するまでバッテリーの電力が必要であることに加えて、受信点での電波環境の不安定さの影響を受けやすい欠点があった。
【０００６】
本発明はこのような状況に鑑みてなされたものであり、その目的は、モバイル機器によるファイルキャストの視聴のために任意の時間にダウンロードが実行できるように準備すること、また、携帯電話のバッテリーに対する負荷を小さくして安定したファイルキャストの復調を可能とすることにある。
【課題を解決するための手段】
【０００７】
上記目的を達成するために、例えば、特許請求の範囲に記載の構成を採用する。
【発明の効果】
【０００８】
本発明によれば、携帯電話によるファイルキャストの視聴において、ファイルキャスト放送のダウンロード受信機能を携帯電話の充電台に配置することにより、ファイルキャスト放送のダウンロード受信と記録を携帯電話と切り離して行うことができて、常にダウンロードの発生に備えることが可能である。視聴のみ携帯電話を用いることで、安定なダウンロード受信特性を得ると共に携帯電話のバッテリーの消費量の課題を改善する効果がある。
【図面の簡単な説明】
【０００９】
【図１】本発明の第１の実施形態に係るデジタル放送送受信システムの構成を示すブロック図である。
【図２】本発明の第２の実施形態に係るデジタル放送送信装置の構成を示すブロック図である。
【図３】本発明の第１と第２の実施形態に係るデジタル放送送信装置の構成を示すブロック図である。
【図４】本発明の第１と第２の実施形態に係るマルチメディア信号発生の構成を示すブロック図である。
【図５】本発明の主要ブロックである変調・符号化部２１２、２２２の構成を示すブロック図である。
【図６】本発明の主要ブロックであるフレーム構成部２１４、２２４の構成を示すブロック図である。
【図７ａ】本発明の第３の実施形態に係る充電台と携帯電話の構成を示すブロック図である。
【図７ｂ】本発明の第３の実施形態に係る充電台と携帯電話の構成を示すブロック図である。
【図８】本発明の第４の実施形態に係る充電台と携帯電話の構成を示すブロック図である。
【図９】本発明の第５の実施形態に係る充電台と携帯電話におけるデジタル放送の受信機能を構成するブロック図である。
【図１０】本発明の第６の実施形態に係るデジタル放送送受信システムの構成を示すブロック図である。
【図１１】本発明の第７の実施形態に係るデジタル放送送受信システムの構成を示すブロック図である。
【図１２ａ】本発明の第８の実施形態に係る充電台と携帯電話の構成を示すブロック図である。
【図１２ｂ】本発明の第８の実施形態に係る充電台と携帯電話の構成を示すブロック図である。
【図１３】本発明の第９の実施形態に係る充電台と携帯電話の構成を示すブロック図である。
【図１４】本発明の第１０の実施形態に係る充電台と携帯電話におけるデジタル放送の受信機能を構成するブロック図である。
【発明を実施するための形態】
【００１０】
以下、本発明を実施するための形態について図面を参照して詳述する。なお、図面において、同一符号は、同一または相当部分を示す。また、本発明は、図示例に限定されるものではない。
【実施例１】
【００１１】
図１は、本発明に係る実施形態１におけるデジタル放送配信のシステム構成を示すブロック図である。１０１はコンテンツ送出装置、１０２は欠損補完用データ送出装置、１０３はライセンス管理装置、１０４は決済システム・顧客管理システム、１０６は受信装置、１０７は蓄積装置、１０８はメタデータ送出装置、１０９はネットワーク通信装置である。受信装置１０６は放送波を受信する放送受信装置Ａ１１０とネットワークとデータの送受信を行う送受信装置１１１から構成される。
【００１２】
配信するコンテンツおよび、コンテンツに関する情報を格納したメタデータは、蓄積装置１０７に格納されており、配信のためにコンテンツ送出装置１０１に登録される。登録されたコンテンツおよび、メタデータは、アクセス制御共通情報やアクセス制御個別情報とともにコンテンツ送出装置１０１から放送波経由で送出される。メタデータは、放送波経由だけではなく、メタデータ送出装置１０８からネットワーク経由で送出されてもよい。
【００１３】
本実施例では、ネットワークにネットワーク通信装置１０９を配置し、ネットワーク経由の情報はネットワーク通信装置１０９と送受信装置１１１との間で送受信される。以下、ネットワーク経由の配信はネットワーク通信装置１０９と送受信装置１１１を介して行われる。
【００１４】
視聴可否に関する情報は、ライセンス管理装置１０３および、決済システム・顧客管理システム１０４によって管理され、アクセス制御共通情報および、アクセス制御個別情報がコンテンツ送出装置１０１に供給される。アクセス制御共通情報および、アクセス制御個別情報は、コンテンツ送出装置１０１から放送波経由で送出されるだけではなく、ライセンス管理装置１０３からネットワーク経由で配信されてもよい。
【００１５】
欠損補完用データ送出装置１０２は、放送波によって配信したコンテンツに受信装置１０６の放送受信装置Ａ１１０の受信時点で欠損があった場合に、欠損を修復するためのデータを送出する機能をもつ。欠損補完用データ送出装置１０２は、受信装置１０６の送受信装置１１１からの欠損補完用データリクエストに従って、欠損補完用データをネットワーク経由で送出する。欠損補完用データの受信が完了したのち、受信装置１０６の送受信装置１１１は、欠損補完用データ送出装置に対して受信報告を送信する。
【００１６】
図１においては、コンテンツ送出装置１０１、欠損補完用データ送出装置１０２，ライセンス管理装置１０３、決済システム・顧客管理システム１０４、蓄積装置１０７、メタデータ送出装置１０８、ネットワーク通信装置１０９をすべて別の装置として記載したが、複数の機能を備える装置があってもよく、本発明を図１の構成に限定するものではない。
【００１７】
本発明に係るデジタル放送においては、リアルタイム放送とファイルキャスト放送が配信される。リアルタイム放送は、ストリーミング型の配信であって、放送波を受信しながら同時にそのコンテンツを再生するサービスである。一方、ファイルキャスト放送とは、ダウンロード型の配信であって、放送波を受信したあとの任意のタイミングで再生するサービスである。
【００１８】
リアルタイム放送の場合、コンテンツ送出装置１０１は、コンテンツ、メタデータ、アクセス制御共通情報および、アクセス制御個別情報をすべて放送波経由で送出する。コンテンツ送出装置１０１は、アクセス制御共通情報および、アクセス制御個別情報を送出するために、あらかじめライセンス管理装置１０３からアクセス制御共通情報および、アクセス制御個別情報を取得しておく。受信装置１０６は、放送波からコンテンツ、メタデータ、アクセス制御共通情報および、アクセス制御個別情報を分離・抽出し、取得したアクセス制御共通情報および、アクセス制御個別情報を使ってコンテンツを復号する。
【００１９】
なお、アクセス制御個別情報は、無料放送の場合など必ずしも送出する必要はない。
【００２０】
また、アクセス制御個別情報は、放送帯域の有効活用の観点から、ライセンス管理装置１０３よりネットワーク経由で配信してもよく。本実施例では、ネットワーク通信装置１０９を介して受信装置１０６の送受信装置１１１が入手する。この場合、コンテンツ受信前にあらかじめアクセス制御個別情報を入手しておく必要がある。
【００２１】
ファイルキャスト放送の場合、コンテンツ送出装置１０１は、コンテンツ、メタデータ、アクセス制御共通情報および、アクセス制御個別情報をすべて放送波経由で送出する。コンテンツ送出装置１０１は、アクセス制御共通情報および、アクセス制御個別情報を送出するために、あらかじめライセンス管理装置１０３からアクセス制御共通情報および、アクセス制御個別情報を取得しておく。受信装置１０６は、放送波からコンテンツ、メタデータ、アクセス制御共通情報および、アクセス制御個別情報を分離・抽出し、取得したアクセス制御共通情報および、アクセス制御個別情報を使ってコンテンツを復号する。
【００２２】
なお、アクセス制御個別情報は、無料放送の場合など必ずしも送出する必要はない。
【００２３】
また、ファイルキャスト放送の場合、コンテンツの受信と再生の間に時間的な隔たりがあるため、メタデータ、アクセス制御共通情報および、アクセス制御個別情報を必ずしもコンテンツと同時に放送波経由で送出する必要はない。メタデータは、メタデータ送出装置１０８からネットワーク経由で配信してもよい。アクセス制御共通情報および、アクセス制御個別情報は、ライセンス管理装置１０３よりネットワーク経由で配信してもよい。本実施例では、ネットワーク通信装置１０９を介して受信装置１０６の送受信装置１１１が入手する。この場合、コンテンツ受信前にあらかじめアクセス制御個別情報を入手しておく必要がある。
【００２４】
また、コンテンツの受信と再生の間に時間的な隔たりがあることから、コンテンツ送出装置１０１は、ある時間帯において特定のコンテンツを複数回繰り返し送出してもよい。
【００２５】
さらに、受信装置１０６が放送波経由で受信したコンテンツに欠損があった場合に、欠損補完用データを送出することで、受信装置１０６に蓄積されたコンテンツを修復してもよい。受信装置１０６は、蓄積したコンテンツに欠損があると判断した場合、欠損補完用データ送出装置１０２に対して、ネットワーク通信装置１０６を介してネットワーク経由で欠損補完用データリクエストを送信する。欠損補完用データ送出装置１０２は、欠損補完用データリクエストに応じて、受信装置１０６に対してネットワーク経由でネットワーク通信装置１０６を介して欠損補完用データを送出する。受信装置１０６は、欠損補完用データを受信して蓄積していたコンテンツの修復を試み、ネットワーク通信装置１０６を介してネットワーク経由で欠損補完用データ送出装置１０２に受信報告を送信する。
【００２６】
図３はコンテンツ送出装置１０１内部の詳細な構成を示すブロック図である。本デジタル放送方式では、複数のＭＰＥＧ−２トランスポートストリーム(MPEG-2 Transport Stream、以下、ＴＳとする)を、それぞれ伝送路符号化処理を施した後、ＩＦＦＴ(Inverse Fast Fourier Transform)により複数のサブキャリアからなるＯＦＤＭ（Orthogonal Frequency Division Multiplexing）送信信号に一括して変換し、放送波として送信する。
【００２７】
図４は、マルチメディア信号発生３０１内部の詳細な構成を示すブロック図である。４０１はコンテンツ・メタデータ登録機能、４０２はメタデータ生成機能、４０３はメタデータ蓄積機能、４０４はコンテンツ蓄積・再生機能、４０５はコンテンツ暗号化機能、４０６は記録媒体である。
【００２８】
コンテンツ送出装置１０１の外部から供給されたコンテンツおよび、メタデータは、コンテンツ・メタデータ登録機能４０１によって登録される。登録されたコンテンツおよび、メタデータは、それぞれコンテンツ蓄積・再生機能４０４および、メタデータ蓄積機能４０３により、記録媒体４０６に保存される。コンテンツの送出やライセンスに関するメタデータは、メタデータ生成機能４０２により生成され、メタデータ蓄積機能４０３により、記録媒体４０６に保存される。保存されたコンテンツおよび、メタデータは、コンテンツ暗号化機能４０５により暗号化され、ストリームとして出力される。
【００２９】
次に図３のデジタル放送送信装置の動作を説明する。
【００３０】
３０１はマルチメディア信号発生部、３０２は13セグメント形式符号化部、３０３は3セグメント形式符号化部、３０４は連結フレーム構成部、３０５は再連結フレーム構成部、３０６は逆高速フーリエ変換(以下、ＩＦＦＴ)／ガードインターバル付加部、３０７はアップコンバータ部、３０８は送信アンプ部、３０９はアンテナである。
【００３１】
また、３１１はＲＳ(リード・ソロモン)符号化部、３１５は階層分割部、３１２は変調・符号化部、３１６は階層合成部、３１３はインターリーブ部、３１４はフレーム構成部であり、これらで13セグメント形式符号化部３０２が構成される。変調・符号化部３１２はa、b、cの３系統ある。
【００３２】
さらにまた、３２１はＲＳ(リード・ソロモン)符号化部、３２２は変調・符号化部、３２３はインターリーブ部、３２４はフレーム構成部であり、これらで1セグメント形式符号化部３０３が構成される。
【００３３】
図３のデジタル放送送信装置は、13セグメント形式符号化部３０２がaとbの２系統、1セグメント形式符号化部３０３がa、b、c、d、e、f、gの7系統、あわせて33セグメント(13×2+7)の連結ＯＦＤＭセグメントとしている。
【００３４】
変調・符号化部３１２、３２２の詳細な構成を図５に示す。
【００３５】
５０１は前段からの入力、５０２はエネルギー拡散部、５０３は遅延補正部、５０４はバイトインターリーブ部、５０５は畳み込み符号化部、５０６はキャリア変調部、５０７はビットインターリーブ部、５０８はマッピング部、５０９は出力であり、キャリア変調部５０６はビットインターリーブ部５０７とマッピング部５０８で構成される。
【００３６】
フレーム構成部３１４、３２４の詳細な構成を図６に示す。
【００３７】
６０１は前段からの入力、６０２はパイロット信号構成部、６０３はＴＭＣＣ(Transmission and Multiplexing Configuration Control)信号構成部、６０４はＡＣ(Auxiliary Channel)信号構成部、６０５はＯＦＤＭフレーム構成部、６０６は出力である。
【００３８】
マルチメディア信号発生部３０１において、映像信号、音声信号、データがそれぞれ符号化され、それぞれの13セグメント形式符号化部３０２や1セグメント形式符号化部３０３に出力するＴＳが生成される。
【００３９】
まず、13セグメント形式符号化部３０２の動作説明をする。
【００４０】
それぞれのＴＳはＩＦＦＴサンプルクロックの４倍のクロックにより188バイト単位のバースト信号形式に変換され、ＲＳ符号化部３１１でリード・ソロモン外符号が付加される。その後、階層伝送を行う場合には、階層情報の指定に沿って階層分割部３１５で階層分割され、最大３系統の変調・符号化部３１２a、b、cに入力される(図５では入力５０１)。変調・符号化部３１２a、b、cにおいては、図５を用いて説明すると、入力５０１から入力された信号は、それぞれ、エネルギー拡散部５０２によるエネルギー拡散、バイトインターリーブ部５０４によるバイトインターリーブ、畳み込み符号化部５０５による畳み込み符号化、ビットインターリーブ部５０７によるビットインターリーブとマッピング部５０８によるマッピングを行いキャリア変調部５０６としてキャリア変調が施され出力５０９から出力される。また、バイトインターリーブとビットインターリーブの時間軸操作で生じる階層間の遅延時間差に対して予め遅延補正部５０３により遅延補正を行い、タイミング調整を図っている。畳み込み符号の符号化率、インターリーブ長、キャリア変調方式はそれぞれの階層で独立に設定される。変調・符号化部３１２a、b、cでの並列処理の後、階層合成部３１６で階層合成された信号は、移動受信における電界変動やマルチパス妨害に対して、誤り訂正符号化の能力を有効に発揮させるためインターリーブ部３１３に入力される。インターリーブ部３１３では時間インターリーブや周波数インターリーブが行なわれる。時間インターリーブの方式は、送受あわせた遅延時間を短縮し受信機のメモリ容量を抑えるため畳み込みインターリーブである。また、周波数インターリーブは、セグメント構造を確保しつつ、十分なインターリーブ効果が発揮できるよう、セグメント間とセグメント内のインターリーブを組み合わせて構成されている。
【００４１】
インターリーブ部３１３の出力はフレーム構成部３１４に入力される(図６では入力６０１)。フレーム構成部３１４の動作を図６を用いて説明する。
【００４２】
複数の伝送パラメータが混在する階層伝送に対して、受信機の復調・復号を補助するため、システム識別、伝送パラメータ切替指標、緊急警報放送用起動フラグ、各階層の伝送パラメータなど、受信機の復調動作を円滑に行なうための制御情報としてＴＭＣＣ（Transmission and Multiplexing Configuration Control）信号が特定のキャリアを用いて伝送される。また、放送に関する付加情報を伝送するため、特定のキャリアに割り当てられた変調波の伝送制御に関する付加情報や地震動警報情報を伝送するための拡張用信号であるＡＣ(Auxiliary Channel)信号が用いられる。
【００４３】
ＯＦＤＭフレーム構成部６０５では、インターリーブ部３１３からの情報データ、パイロット信号構成部６０２からの同期再生用パイロット信号、ＴＭＣＣ構成部６０３からのＴＭＣＣ信号、および、ＡＣ信号構成部６０４からのＡＣ信号によりＯＦＤＭフレームが構成され、出力６０９から出力される。
【実施例２】
【００４４】
図２に本発明に係る実施形態２におけるデジタル放送配信のシステム構成を示すブロック図である。図１と同じ機能ブロックは同じ符号を付している。受信装置１０６は放送波を受信する放送受信装置Ａ２０１とネットワークとデータの送受信を行う送受信装置１１１から構成される。図１の実施形態１では、ネットワークと受信装置１０６の情報の送受信はネットワーク通信装置１０９と送受信装置１１１による無線通信ネットワークで行っていたが、本実施例では放送受信装置Ａ２０１はＬＡＮのインターフェースを具備し、ネットワークとはＬＡＮインターフェースを介して情報の送受信を行っている点が異なる。
【実施例３】
【００４５】
図７aと図７ｂは本発明に係る実施形態３におけるデジタル放送受信装置の構成を示すブロック図である。図７のデジタル放送受信装置は図１のデジタル放送送信装置から送信されたデジタル放送送信信号とネットワーク経由の情報を受信するものである。図1と同じ機能ブロックは同一の符号を付している。
【００４６】
７０１は充電台、７０２は携帯電話、７０３はＩＳＤＢ−Ｔｍｍ(Integrated Services Digital Broadcasting-Terrestrial for mobile multimedia)受信部、７０４と７０７は記録媒体、７０８は欠損補間処理部、７１０はデスクランブラ1部、７１１はデスクランブラ2部、７１２はライセンス処理部、７１３は映像や音声の出力部、７１４携帯電話の通信送受信部、７１５は地上デジタル放送のアンテナ、７１６は携帯電話のアンテナ、７０５は充電台の電源部、７０６は充電用電源部、７０９は携帯電話の内蔵バッテリー、７３０と７３１は入出力インターフェースである。携帯電話７０２は、携帯電話の機能をもつ通信送受信部７１４を有する。図７aは充電台７０１と携帯電話７０２の接続状態、図７ｂは携帯電話７０２がはずされて、充電台７０１のみの状態を表している。
【００４７】
図７aにおいて充電台７０１に携帯電話７０２が接続されると、充電用電源７０６が携帯電話７０２に電源を供給すると共に携帯電話の内蔵バッテリー７０９を充電する。充電台７０１と携帯電話７０２の信号７２１と信号７２２は入出力インターフェース７３０と入出力インターフェース７３１で接続される。また、充電台７０１はＩＳＤＢ−Ｔｍｍ受信部７０３と記録媒体７０４を内蔵し、これらは電源部７０５で動作する。
【００４８】
図７ａを用いて充電台７０１に携帯電話７０２が接続された状態でのＩＳＤＢ−Ｔｍｍのリアルタイム放送受信の説明を行う。
【００４９】
ＩＳＤＢ−Ｔｍｍ放送波はアンテナ７１５で受信され、ＩＳＤＢ−Ｔｍｍ受信部７０３選局・復調されてデジタル情報を出力し、経路７２０によって記録媒体７０４へ、あるいは経路７２２によって携帯電話７０２へ出力される。
【００５０】
リアルタイム放送の受信の基本動作は、アンテナ７１５で受信した受信波をＩＳＤＢ−Ｔｍｍ受信部７０３で選局と復調を行い希望チャンネルのデジタル情報を出力する。リアルタイム視聴で同時録画をする必要ない場合は、記録媒体７０４や記録媒体７０７を介さない信号路７２２によって直接デスクランブラ2部７１１に入力して視聴を行う。
【００５１】
リアルタイム視聴で同時録画を行う場合は、ＩＳＤＴ−Ｔｍｍ部７０３の出力を記録媒体７０４から経路７２１を介して記録媒体７０７に入力し、デスクランブル2部７１１に入力して視聴と同時に番組記録を記録媒体７０４あるいは記録媒体７０７に暗号化のまま記録するものである。ＩＳＤＢ−Ｔｍｍ信号はアクセス制御共通情報やアクセス制御個別情報により保護されており、図１のライセンス管理装置１０３からアクセス制御共通情報やアクセス制御個別情報はネットワーク通信装置１０９から配信され、アンテナ７１６で受信して通信送受信機７１４でアクセス制御共通情報やアクセス制御個別情報を取得して、ライセンス部７１２で再生を行い暗号情報の解除等を行う。
【００５２】
ＩＳＤＢ−Ｔｍｍのファイルキャスト放送は、ダウンロード型の配信であって、放送波を受信したあとの任意のタイミングで再生するサービスである。図７ｂは携帯電話７０２が外され、充電台701のみの状態を表している。充電台７０１はファイルキャスト放送のダウンロードの待ち受け状態にある。ファイルキャスト放送のダウンロードが開始されると、アンテナ７１５で受信して、あらかじめ設定した条件でＩＳＤＢ−Ｔｍｍ受信部７０３で選局と復調を行い、再生した暗号化されているデジタル情報を安定に記録媒体７０４に記憶する。
【００５３】
ファイルキャスト放送の視聴を図７ａを用いて説明する。記録媒体７０４にはダウンロードしたファイルキャスト放送のデータが蓄積されている。携帯電話７０２が充電台７０１に接続されると、充電台の７０１の記録媒体７０４から携帯電話７０２の記録媒体７０７にダウンロードしたファイルキャスト放送のデータが経路７２１を介して転送される。ファイルキャスト放送の視聴は充電台７０１に携帯電話７０２を接続した状態と、充電台７０１から外して携帯電話７０２単独(図示なし)で視聴する方法がある。ダウンロードしたファイルキャスト放送の視聴に必要なアクセス制御共通情報やアクセス制御個別情報は、図１のライセンス管理装置１０３からネットワーク通信装置１０９を介して配信される。ネットワーク通信装置１０９からのアクセス制御共通情報やアクセス制御個別情報の配信をアンテナ７１６で受信して通信送受信機７１４で取得して、ライセンス部７１２で再生を行い暗号情報の解除等を行う。
【００５４】
また、ＩＳＤＢ−Ｔｍｍ受信部７０３が放送波経由で受信したコンテンツに欠損があった場合に、欠損補完用データを受信して、携帯電話７０２に転送し記録媒体７０７に蓄積されたコンテンツを修復が可能である。携帯電話７０２は、蓄積したコンテンツに欠損があると判断した場合、欠損補完用データ送出装置１０２に対して、通信送受信機７１４からネットワーク通信装置１０9を介してネットワーク経由で欠損補完用データリクエストを送信する。欠損補完用データ送出装置１０２は、欠損補完用データリクエストに応じて、送受信装置通信送受信部７１４に対してネットワーク通信装置１０9と通信送受信機７１４経由で欠損補完用データを送出する。通信送受信機７１４は、欠損補完用データを受信して蓄積していたコンテンツの修復を試み、通信送受信機７１４からネットワーク通信装置１０9を介してネットワーク経由で欠損補完用データ送出装置１０２に受信報告を送信する。
【００５５】
従来、携帯電話でファイルキャスト放送のダウンロードを行う場合は、いつ発生するか分からないダウンロードを常に待ち受けるための待機電力が必要であることやダウンロード期間中はダウンロードが終了するまで受信電力が必要であることに加えて、受信点での電波環境の不安定さの影響を受けやすい欠点があった。本実施例では、ファイルキャスト放送のダウンロード受信機能を携帯電話の充電台７０１に配置することにより、ファイルキャスト放送のダウンロード受信と記録を携帯電話と切り離して行い、視聴のみ携帯電話７０２を用いることで、安定なダウンロード受信特性を得ると共に携帯電話７０２のバッテリー７０９の消費量の課題を改善する効果がある。
【実施例４】
【００５６】
図８は本発明に係る実施形態４におけるデジタル放送受信装置の構成を示すブロック図である。図８のデジタル放送受信装置は図２のデジタル放送送信装置から送信されたデジタル放送送信信号とネットワーク経由の情報を受信するものである。本発明は実施形態３の図７のデジタル放送受信機において充電台７０１にＬＡＮインターフェース部８０１を具備したことを特徴とする。その他の図２と図７と同じ機能ブロックは同一の符号を付している。
【００５７】
本実施例において、充電台７０１に携帯電話７０２が接続されると、ＬＡＮインターフェース部８０１の出力は携帯電話７０２の欠損補完部７０８とライセンス部７１２に接続される。リアルタイム視聴とファイルキャスト放送の視聴に必要な図２のライセンス管理装置１０３からのアクセス制御共通情報やアクセス制御個別情報は充電台７０１に具備したＬＡＮインターフェース部８０１を用いてネットワークを介して取得するものである。
【実施例５】
【００５８】
実施形態３と実施形態４においてファイルキャスト放送でダウンロードし記録媒体７０４に蓄積したコンテンツに欠損があった場合のコンテンツ修復の実行は、図７aや図８に示すＩＳＤＢ−Ｔｍｍ受信部７０３を配置した充電台７０１と通信送受信部７１４を配置した携帯電話７０２が接続されている場合は、自動的にあるいは視聴時に欠損補完用データ送出装置１０２からの欠損補完用データを通信送受信部７１４あるいはＬＡＮインターフェース８０１で受信してコンテンツを修復する。
【実施例６】
【００５９】
実施形態３と実施形態４においてファイルキャスト放送でダウンロードし記録媒体７０４に蓄積したコンテンツに欠損があった場合は、ＩＳＤＢ−Ｔｍｍ受信部７０３を配置した充電台と通信送受信部７１４を配置した携帯電話７０２が接続されていない図７ｂの場合はコンテンツの修復は行わず、図７ａに記載の携帯電話７０２が充電台７０１に接続されて記録媒体７０４に蓄積されたファイルキャストのダウンロードしたコンテンツが携帯電話７０２に配置した記録媒体７０７に転送されてから、自動的にあるいは視聴時に欠損補完用データ送出装置１０２からの欠損補完用データを通信送受信部７１４あるいはＬＡＮインターフェース８０１で受信してコンテンツを修復する。
【実施例７】
【００６０】
図９は本実施例に係る実施形態５におけるデジタル放送受信装置の構成を示すブロック図である。図９のデジタル放送受信装置は図1あるいは図２に記載のデジタル放送送信装置から送信されたデジタル放送送信信号とネットワーク経由の情報を受信するものである。
【００６１】
９２６は充電台である。９３５は携帯電話である。充電台９２６の電源や携帯電話９３５のバッテリーは図示していない。
【００６２】
９０１と９４０はアンテナ、９０２は選局部、９０３は直交復調部、９０４は高速フーリエ変換(以下、ＦＦＴ)部、９０５はＦＦＴ部９０４以降ＴＳ出力までのデジタル放送送信信号の復調・復号動作を行う復調復号部、９０６は同期再生部、９０７はフレーム抽出部、９０８はＴＭＣＣ復号部であり、復調復号部９０５の動作を行うための同期信号再生や、伝送パラメータなどの情報入手を行う。
【００６３】
選局９０２からＴＭＣＣ復号部９０８まででフロント・エンド (以下、Ｆ／Ｅ)部９２４Ａを構成する。
【００６４】
９２８はデスクランブル１部、９２９はデスクランブル２部、９０９はデマックス部、９１０は圧縮された放送音声信号のデコード部、９１１はデコードされた放送音声信号の出力を行う音声出力部、９１２は圧縮された放送映像信号のデコード部、９１３は表示画面を構成する提示処理部、９１４はデコードされた放送映像信号の表示を行う映像出力部、９１５はＰＳＩ(Program Specific Information)／ＳＩ(Service Information)などのシステム情報を取り扱うシステムデコード部である。
【００６５】
デスクランブル１部９２８、デスクランブル２部９２９、デマックス部９０９からシステムデコード部９１５まででバック・エンド (以下、Ｂ／Ｅ)部９２５を構成する。
【００６６】
９１６は書き換え可能タイプ不揮発性メモリ(以下、ＮＶＲＡＭ)、９１７はフォントなどのＲＯＭ(Read Only Memory)、９１８は主メモリであるＲＡＭ(Random Access Memory)、９１９は通信回線インターフェース(以下ＬＡＮＩ／Ｆ)、９２０と９３２は入出力部(以下、Ｉ／Ｏ)、９３３は携帯電話の送受信を行う通信部、９２１はシステムバス、９２２は中央演算処理部(以下、ＣＰＵ)、９２３はリモコン、９３０はライセンス情報を管理するCAS(Conditional Access System)、９３１と９３４は記録媒体である。
【００６７】
充電台９２６と携帯電話９３５がＩ/Ｏ９２０とＩ/Ｏ９３２で接続されたリアルタイム放送視聴の場合、アンテナ９０１によりデジタル放送受信装置９２６に入力されたデジタル放送送信信号は、Ｆ／Ｅ部９２４ＡによりＴＳ(トランスポートストリーム)に変換される。復調されたＴＳは、デスクランブル１部９２８により、CAS９３０に格納されたライセンス情報を利用して、暗号化データが選択的に復号される。ライセンス情報は、ネットワークを経由して通信I／F９１９あるいは通信部９３３により供給される。復号されたＴＳは、デマックス部９０９により、映像、音声、その他データに分離され、映像ストリームは映像デコード部９１２へ、音声ストリームは音声デコード部９１０へ出力される。デコードされた映像信号は提示処理部９１３で表示画面を構成され、映像出力９１４で出力される。デコードされた音声信号は音声出力９１１で出力される。
【００６８】
ファイルキャスト放送の場合、アンテナ９０１により充電台９２６に入力されたデジタル放送送信信号は、Ｆ／Ｅ部によりＴＳ(トランスポートストリーム)に変換される。復調されたＴＳは、記録媒体９３１に入力され蓄積されるが、ここでは復号を行わない。充電台９２６と携帯電話９３５がＩ/Ｏ９２０とＩ/Ｏ９３２の接続を介して、入力されたデマックス部９０９で、蓄積するコンテンツに関するデータのみを分離し、記録媒体９３４に蓄積する。
【００６９】
アクセス制御共通情報および、アクセス制御個別情報はネットワーク経由で配信され、再生前もしくは再生時に通信I/F９１９あるいは携帯電話の通信部９３３を経由して取得し、記録媒体９３４に蓄積しておく。
【００７０】
再生時には、記録媒体９３４から再生するコンテンツに関するデータを読み出してデスクランブル２部９２９に入力し、記録媒体９３１に蓄積しておいたアクセス制御共通情報および、アクセス制御個別情報を利用して、暗号化データを選択的に復号する。復号されたＴＳは、デマックス部９０９により、映像、音声、その他データに分離され、映像ストリームは映像デコード部９１２へ、音声ストリームは音声デコード部９１０へ出力される。デコードされた映像信号は提示処理部９１３で表示画面を構成され、映像出力９１４で出力される。デコードされた音声信号は音声出力９１１で出力される。
【００７１】
以上の動作はＣＰＵ９２２が、システムバス９２１とＩ/Oを介し、Ｆ／Ｅ部９２４ＡやＢ／Ｅ部９２５の各ブロックに対して制御を行なうことで、デジタル放送受信装置９２６は通常の映像、音声の再生を行う。
【００７２】
データ放送受信時は、一旦データをＲＡＭ９１８、あるいはＮＶＲＡＭ９１６等へ転送し、ＣＰＵ９２２による処理を行う。また通常の映像、音声の再生処理だけでなく、文字図形の提示と同時にＲＡＭ９１８上のデータを映像、音声デコーダへ転送し、映像、音声の再生処理を行う様な処理を行なう。また、通信Ｉ／Ｆ９１９を用い充電部９２６の外部と情報のやり取りを行なう。
【００７３】
デジタル放送受信装置の操作は、Ｉ／Ｏ９３２とＩ／Ｏ９２０を介し、携帯電話９３５で行なうことが可能である。
【実施例８】
【００７４】
実施形態５において、図1のメタデータ送出装置１０８からのメタデータをネットワーク通信装置１０９とアンテナ９４０を介して通信部９３３から得る場合は、通信部９３３が配置された携帯電話９３５でメタデータから番組情報を抽出してファイルキャスト放送あるいはリアルタイム放送の録画情報の設定を行い、一旦データをＲＡＭ９１８、あるいはＮＶＲＡＭ９に記録し、
携帯電話９３５と充電台９２６をＩ／Ｏ９３２とＩ／Ｏ９２０を介して接続した後に、記録した録画情報をＩ／Ｏ９３２とＩ／Ｏ９２０を介して充電台９２６に配置したＦ／Ｅ９２４Ａに転送してＦ／Ｅ924Aの設定を行う。
【実施例９】
【００７５】
実施形態５において、図1のメタデータ送出装置１０８からのメタデータをネットワーク通信装置１０９とアンテナ９４０を介して通信部９３３から得る場合は、通信部９３３が配置された携帯電話９３５でメタデータから番組情報を抽出してファイルキャスト放送あるいはリアルタイム放送の録画情報の設定を行い、一旦データをＲＡＭ９１８、あるいはＮＶＲＡＭ９に記録し、携帯電話９３５が充電台９２６へ接続されていない場合は、通信部９３３よりネットワークに接続して充電台９２６のＬＡＮＩ／Ｆ９１９を介して録画情報をＦ／Ｅ924Aに転送してＦ／Ｅ924Aの設定を行う。
【実施例１０】
【００７６】
実施形態５において、図1あるいは図２のメタデータ送出装置１０８からのメタデータを放送波から得る場合は、Ｆ／Ｅ924Ａを配置した充電台９２６をＩ／Ｏ９３２とＩ／Ｏ９２０を介して携帯電話９３５に接続して、Ｆ／Ｅ924Ａで復調したメタデータをＩ／Ｏ９３２とＩ／Ｏ９２０を介して携帯電話９３５で取得した後に、番組情報を抽出してファイルキャスト放送あるいはリアルタイム放送の録画情報を得る。
【実施例１１】
【００７７】
実施形態５において、図1あるいは図２のメタデータ送出装置１０８からのメタデータを放送波から得る場合は、携帯電話９３５は通信部９３３を介してネットワークに接続し、充電台９２６に配置したＦ／Ｅ924ＡはＬＡＮＩ／Ｆ９１９を介してネットワークに接続され、Ｆ／Ｅ924Ａで復調したて得たメタデータをＦ／Ｅ924ＡからＬＡＮＩ／Ｆ９１９、ネットワーク、アンテナ９４０、通信部９３３を介して携帯電話で取得して、番組情報を抽出して携帯電話９３５で録画情報の設定を行い、前期設定した録画情報を携帯電話９３５から通信部９３３、アンテナ９４０、ネットワーク、ＬＡＮＩ／Ｆ９１９を介して充電台に配置したＦ／Ｅ924Ａに転送する。
【実施例１２】
【００７８】
図１０に本発明に係る実施形態６におけるデジタル放送配信のシステム構成を示すブロック図である。図１と同じ機能ブロックは同じ符号を付している。受信装置１０６は放送波を受信する放送受信装置Ａ１１０と放送受信装置Ｂ１００１とネットワークとデータの送受信を行う送受信装置２０１とから構成される。図１の実施形態１では、放送波は放送受信装置Ａ１１０のみで受信を行なったが、本実施例では放送受信装置Ｂ１００１を具備し、放送受信装置Ａ１１０はファイルキャスト放送のダウンロードに用い、放送受信装置Ｂ１００１はリアルタイム放送であるワンセグ放送の受信に用いる点が異なる。
【実施例１３】
【００７９】
図１１に本発明に係る実施形態７におけるデジタル放送配信のシステム構成を示すブロック図である。図１０と同じ機能ブロックは同じ符号を付している。受信装置１０６は放送波を受信する放送受信装置Ａ２０１と放送受信装置Ｂ１００１とネットワークとデータの送受信を行う送受信装置１１１から構成される。図１０の実施形態７では、ネットワークと受信装置１０６の情報の送受信はネットワーク通信装置１０９と送受信装置１１１による無線通信ネットワークで行っていたが、本実施例では放送受信装置Ａ２０１はＬＡＮのインターフェースを具備し、ネットワークとはＬＡＮインターフェースを介して情報の送受信を行っている点が異なる。
【実施例１４】
【００８０】
図１２aと図１２bは本発明に係る実施形態７におけるデジタル放送受信装置の構成を示すブロック図である。図１２のデジタル放送受信装置は図１０のデジタル放送送信装置から送信されたデジタル放送送信信号とネットワーク経由の情報を受信するものである。実施例３の図７と同じ機能ブロックは同一の符号を付している。本実施例では、携帯電話７０２にワンセグ部受信部１２０１を配置している点が異なる。図１２aは充電台７０１と携帯電話７０２の接続状態、図１２ｂは充電台７０１がはずされて、携帯電話７０２のみの状態を表している。
【００８１】
図１２bを用いて携帯電話７０２単体でのワンセグ放送のリアルタイム放送受信の説明を行う。
【００８２】
リアルタイム放送の受信の基本動作は、アンテナ１２０３で受信した受信波をワンセグ部受信部１２０１で選局と復調を行い希望チャンネルのデジタル情報１２０２を出力し記録媒体７０７へ入力する。リアルタイム視聴で同時録画をする必要ない場合は、記録媒体７０７に記録せずに直接デスクランブラ2の７１１に入力して視聴を行う。
【００８３】
リアルタイム視聴で同時録画を行う場合は、ワンセグ部受信部１２０１の出力を視聴と同時に番組記録を記録媒体７０７に暗号化のまま記録するものである。ワンセグ放送でアクセス制御共通情報やアクセス制御個別情報により保護されているものは、図１のライセンス管理装置１０３からアクセス制御共通情報やアクセス制御個別情報はネットワーク通信装置１０９から配信され、アンテナ７１６で受信して通信送受信機７１４でアクセス制御共通情報やアクセス制御個別情報を取得して、ライセンス部７１２で再生を行い暗号情報の解除等を行う。
【００８４】
ＩＳＤＢ−Ｔｍｍのファイルキャスト放送は、ダウンロード型の配信であって、放送波を受信したあとの任意のタイミングで再生するサービスである。本実施例では、ファイルキャスト放送のダウンロードが開始されると、充電台７０１のアンテナ７１５で受信して、あらかじめ設定した条件でＩＳＤＢ−Ｔｍｍ受信部７０３で選局と復調を行い、再生した暗号化されているデジタル情報を安定に記録媒体７０４に記憶する。図７aにおいて充電台７０１に携帯電話７０２が接続されると、充電用電源７０６が携帯電話７０２に電源を供給すると共に携帯電話の内蔵バッテリー７０９を充電する。充電台７０１と携帯電話７０２の信号７２１は入出力インターフェース７３０と入出力インターフェース７３１で接続される。記録媒体７０４に記録されたファイルキャスト放送の情報の信号７２１は入出力インターフェース７３０と入出力インターフェース７３１を介して携帯電話７０２に入力されて。記録媒体７０７に記録あるいは記録せずにデスクランブル1部を介して視聴される。ファイルキャスト放送でアクセス制御共通情報やアクセス制御個別情報により保護されているものは、図１のライセンス管理装置１０３からアクセス制御共通情報やアクセス制御個別情報はネットワーク通信装置１０９から配信され、アンテナ７１６で受信して通信送受信機７１４でアクセス制御共通情報やアクセス制御個別情報を取得して、ライセンス部７１２で再生を行い暗号情報の解除等を行う。
【００８５】
本実施例で携帯電話のアンテナ７１６とワンセグ放送受信のアンテナ１２０３は分かれているが、一体型の共有アンテナでも同様な効果が得られる。
【実施例１５】
【００８６】
図１３は本発明に係る実施形態８におけるデジタル放送受信装置の構成を示すブロック図である。図１３のデジタル放送受信装置は図１１のデジタル放送送信装置から送信されたデジタル放送送信信号とネットワーク経由の情報を受信するものである。本発明は実施形態７の図１２のデジタル放送受信機において充電台７０１にＬＡＮインターフェース部８０１を具備したことを特徴とする。その他の図１１と図１２と同じ機能ブロックは同一の符号を付している。
【００８７】
本実施例において、充電台７０１に携帯電話７０２が接続されると、ＬＡＮインターフェース部８０１の出力は携帯電話７０２の欠損補完部７０８とライセンス部７１２に接続される。リアルタイム視聴とファイルキャスト放送の視聴に必要な図２のライセンス管理装置１０３からのアクセス制御共通情報やアクセス制御個別情報は充電台７０１に具備したＬＡＮインターフェース部８０１を用いてネットワークを介して取得するものである。
【実施例１６】
【００８８】
図１４は本実施例に係る実施形態９におけるデジタル放送受信装置の構成を示すブロック図である。図１４のデジタル放送受信装置は図１０あるいは図１１に記載のデジタル放送送信装置から送信されたデジタル放送送信信号とネットワーク経由の情報を受信するものである。本発明は実施例７の図９のデジタル放送受信装置において、アンテナ１４０２とフロントエンド９２４Ｂを具備したことを特徴とする。その他の図１０と図１１と図９と同じ機能ブロックは同一の符号を付している。フロントエンド９２４Ｂの機能ブロックの構成は、フロントエンド９２４Ａと同じである。フロントエンド９２４Ｂはアンテナ１４０２で受信したワンセグ受信波をフロントエンド９２４Ｂで選局と復調を行い希望チャンネルのＴＳ情報を出力する。復号されたＴＳは、デマックス部９０９により、映像、音声、その他データに分離され、映像ストリームは映像デコード部９１２へ、音声ストリームは音声デコード部９１０へ出力される。デコードされた映像信号は提示処理部９１３で表示画面を構成され、映像出力９１４で出力される。デコードされた音声信号は音声出力９１１で出力される。
【００８９】
本実施例で携帯電話のアンテナ９４０とワンセグ放送受信のアンテナ１４０２は分かれているが、一体型の共有アンテナでも同様な効果が得られる。
【符号の説明】
【００９０】
１０１…コンテンツ送出装置
１０２…欠損補完用データ送出装置
１０３…ライセンス管理装置
１０４…決済システム・顧客管理システム
１０５…リムーバブルメディア
１０６…受信装置
１０７…蓄積装置
１０８…メタデータ送出装置
１０９…ネットワーク通信装置
１１０、２０１、１００１…放送受信装置
１１１…送受信装置
３０１…マルチメディア信号発生部
３１１…ＲＳ(リード・ソロモン)符号化部
３１２…変調・符号化部
３１３…インターリーブ部
３１４…フレーム構成部
３１５…階層分割部
３１６…階層合成部
３２１…ＲＳ(リード・ソロモン)符号化部
３２２…変調・符号化部
３２３…インターリーブ部
３２４…フレーム構成部
４０１…コンテンツ／メタデータ登録機能
４０２…メタデータ生成機能
４０３…メタデータ蓄積機能
４０４…コンテンツ蓄積・再生機能
４０５…コンテンツ暗号化機能
４０６…記録媒体
４０７…マルチメディア信号発生部
５０１…入力
５０２…エネルギー拡散部
５０３…遅延補正部
５０４…バイトインターリーブ部
５０５…畳み込み符号化部
５０６…キャリア変調部
５０７…ビットインターリーブ部
５０８…マッピング部
５０９…出力
６０１…入力
６０２…パイロット信号構成部
６０３…ＴＭＣＣ(Transmission and Multiplexing Configuration 
Control)信号構成部
６０４…ＡＣ(Auxiliary Channel)信号構成部
６０５…ＯＦＤＭフレーム構成部
６０６…出力
６０１…アンテナ
７０１…充電台
７０２…携帯電話
７０３…ＩＳＤＢ−Ｔｍｍ受信部
７０４、７０７…記録媒体部
７０５…電源部
７０６…充電用電源部
７０８…欠損補完部
７０９…バッテリー
７１０、７１１…デスクランブラ部
７１２…ライセンス部
７１３…出力部
７１４…通信送受信部
７３０、７３１…入出力部(Ｉ／Ｏ)
９０２…選局部
９０３…直交復調部
９０４…高速フーリエ変換(ＦＦＴ)部
９０５…復調復号部
９０６…同期再生部
９０７…フレーム抽出部
９０８…ＴＭＣＣ復号部
９０９…デマックス部
９１０…圧縮された放送音声信号のデコード部
９１１…音声出力部
９１２…圧縮された放送映像信号のデコード部
９１３…提示処理部
９１４…映像出力部
９１５…システムデコード部
９１６…書き換え可能タイプ不揮発性メモリ(ＮＶＲＡＭ)
９１７…ＲＯＭ(Read Only Memory)
９１８…ＲＡＭ(Random Access Memory)
９１９…通信回線インターフェース(Ｉ／Ｆ)
９２０、９３２…入出力部(Ｉ／Ｏ)
９２１…システムバス
９２２…中央演算処理部(ＣＰＵ)
９２３…リモコン
９２４、１４０１…フロント・エンド (Ｆ／Ｅ)
９２５…バック・エンド (Ｂ／Ｅ)部
９２６…デジタル放送受信装置
９２７…リムーバブルメディア
９２８、９２９…デスクランブル
９３０…CAS（Conditional Access System）
９３１、９３４…記録媒体
９３３…通信部
１２０１…ワンセグ部受信部
【図１】
2012235183.tif 000003
【図２】
2012235183.tif 000004
【図３】
2012235183.tif 000005
【図４】
2012235183.tif 000006
【図５】
2012235183.tif 000007
【図６】
2012235183.tif 000008
【図７ａ】
2012235183.tif 000009
【図７ｂ】
2012235183.tif 000010
【図８】
2012235183.tif 000011
【図９】
2012235183.tif 000012
【図１０】
2012235183.tif 000013
【図１１】
2012235183.tif 000014
【図１２ａ】
2012235183.tif 000015
【図１２ｂ】
2012235183.tif 000016
【図１３】
2012235183.tif 000017
【図１４】
2012235183.tif 000018